(57)【要約】【解決手段】  立体的に地形が形成された地形部分の表面に地図３が表示された立体地図１に関する。  上記地形部分に磁性体を有した磁性体層５を設けて、上記地図３に磁石４ａを磁着可能としたものであり、上記地形部分を所定の厚さからなる樹脂層２によって形成するとともに、当該樹脂層２の表面に上記地図３を表示し、上記磁性体層５を上記樹脂層２の裏面に形成した。【効果】  傾斜部分にもマーカーを設置可能でかつ設置跡が残らないようにすることができる。【選択図】  図２
2019191218.tif 000002
【特許請求の範囲】
【請求項１】
立体的に地形が形成された地形部分と、当該地形部分の表面に表示された地図とを有する立体地図において、
上記地形部分に磁性体を有した磁性体層を設けて、上記地図に磁石を磁着可能としたことを特徴とする立体地図。
【請求項２】
上記地形部分を所定の厚さからなる樹脂層によって形成するとともに、当該樹脂層の表面に上記地図を表示し、
上記磁性体層を上記樹脂層の裏面に形成することを特徴とする請求項１に記載の立体地図。
【請求項３】
上記磁性体層を上記地形部分と上記地図との間に設けることを特徴とする請求項１に記載の立体地図。
【請求項４】
上記地形を構成する傾斜部分の磁性体層の厚さを、平坦部分の磁性体層の厚さよりも厚くすることを特徴とする請求項２または請求項３のいずれかに記載の立体地図。
【請求項５】
上記地形部分の表面に凹凸形状を形成し、上記磁性体層は上記凹凸形状の内部に充填されており、
上記地形部分を構成する傾斜部分の凹凸形状を、平坦部分の凹凸形状よりも大きくしたことを特徴とする請求項３に記載の立体地図。
【発明の詳細な説明】
【技術分野】
【０００１】
本発明は立体地図に関し、詳しくは立体的に地形が形成された地形部分と、当該地形部分の表面に表示された地図とを有する立体地図に関する。
【背景技術】
【０００２】
従来、立体的に地形が形成された地形部分の表面に、等高線や道路等の地図が表示された立体地図が知られている（特許文献１、２）。
このような上記立体地図は地形による高低差を認識しながら地図を理解するのに好適となっており、教育現場や災害発生時において広く用いられるようになっている。
【先行技術文献】
【特許文献】
【０００３】
【特許文献１】特開平５−２９７８０４号公報
【特許文献２】特開平７−２３９６５３号公報
【発明の概要】
【発明が解決しようとする課題】
【０００４】
ここで、例えば上記立体地図を災害発生時に用いる場合、災害発生位置に何らかのマーカーを設置することが考えられるが、当該マーカーが単なる物体では山の斜面等に該当する傾斜部分から脱落してしまい、またマーカーに画びょうなどのピンを用いた場合、立体地図に刺し跡が残るという問題があった。
このような問題に鑑み、本発明はマーカーを傾斜部分にも設置可能でかつ設置跡が残らないようにした立体地図を提供するものである。
【課題を解決するための手段】
【０００５】
すなわち請求項１の発明にかかる立体地図は、立体的に地形が形成された地形部分と、当該地形部分の表面に表示された地図とを有する立体地図において、
上記地形部分に磁性体を有した磁性体層を設けて、上記地図に磁石を磁着可能としたことを特徴としている。
【発明の効果】
【０００６】
上記発明によれば、上記磁性体層を設けることにより、上記地図の表面に磁石を備えたマーカーを設置することが可能となる。このため、傾斜部分であってもマーカーを設置することができ、また刺し跡が残らず、同じ場所にマーカーを繰り返し設置することができる。
【図面の簡単な説明】
【０００７】
【図１】第１実施例にかかる立体地図の斜視図
【図２】第１実施例にかかる立体地図の断面図
【図３】第２実施例にかかる立体地図の断面図
【図４】第３実施例にかかる立体地図の断面図
【図５】第３実施例にかかる立体地図の拡大断面図
【発明を実施するための形態】
【０００８】
以下図示実施例について説明すると、図１は第１実施例にかかる立体地図１の斜視図を示し、所要の縮尺で実際の地形に倣って形成された立体的な山２ａや谷２ｂなどの地形が形成された地形部分としての樹脂層２と、当該樹脂層２の表面に等高線や道路を表示する地図３とを有している。
上記立体地図１を例えば災害発生時に使用する場合、災害が発生した位置や救助隊の位置等にマーカー４を設置することで、立体地図１を用いた災害の状況の認識を容易に行うことが可能となっている。
そして本実施例の立体地図１は、図２に示すように上記樹脂層２の裏面に磁性体を有する磁性体層５を設けることで、当該磁性体層５によって立体地図１に磁石４ａを備えたマーカー４を磁着させることが可能となっており、上記山２ａの斜面にもマーカー４を設置することが可能となっている。また本実施例の立体地図は垂直な壁に設置しても、上記マーカー４を保持することが可能となっている。
上記磁石４ａを備えたマーカー４には市販品を用いることが可能であるが、山２ａや谷２ｂといった凹凸のある地形に設置することから、接地面積の小さいものを用いることが望ましく、そのため上記磁石４ａとしてはネオジム磁石などの磁力の高い磁石を用いることが望ましい。
【０００９】
上記樹脂層２としては、例えば厚さ０．３〜０．５ｍｍ程度の塩化ビニルやポリスチレン、ＰＴＥ等の熱可塑性樹脂を用いることができ、平坦な樹脂板を型に投入して加熱変形させることで上記地形を成形するようになっている。
上記樹脂層の表面に形成される地図３は、一枚のフィルムに上記山２ａの名称や等高線、その他河川や道路といった地形情報が予め印刷されたものを使用することができ、上記フィルムを上記樹脂層２の表面に張り付けることにより、上記地図３が樹脂層２の表面に表示されるようになっている。
このような樹脂層２の表面に上記地図３を形成する方法としては、樹脂板を加熱成形して上記地形を有する樹脂層２を成形し、その後当該樹脂層２の表面に上記地図３の印刷されたフィルムを張り付ける方法や、加熱成形前の樹脂板に予め地図３の印刷されたフィルムを張り付け、その後地図３ごと樹脂板を加熱成形して上記樹脂層２を成形する方法が考えられる。
そのほかにも、加熱成形された樹脂層２に直接地図３を印刷する方法や、樹脂板に地図３を直接印刷し、その後樹脂層２を加熱成形する方法も考えられる。
【００１０】
ここで上記地形のうち、山２ａと山２ａとの間に挟まれた谷２ｂのような凹部形状については、実際の地形に忠実に谷２ｂを成形すると、上記マーカー４を磁着させるのに十分な接地面積が確保できない場合がある。
このため、上記谷２ｂについては、上記マーカー４を設置できる程度の平坦部が確保されるよう、実際の地形（図示破線部分）に対して樹脂層２の形状を修正したものとなっている。
一方、山２ａの山頂部分のような凸部形状についても、実際の山の山頂が鋭い場合には、上記マーカー４の接地面積が確保できない場合がある。
この場合、山頂部分を平坦にして設置面積を確保することも可能であるが、谷２ｂのような凹部形状に比べて、山２ａのような凸部形状の差異は見る者に生じさせる違和感が大きいため、これらの凸部形状についてはなるべく縮尺に従って成形することが望ましい。
【００１１】
上記磁性体層５は、鉄粉などの磁性体を樹脂製のバインダーに混練したペースト状のものを、上記地形が形成された樹脂層２の裏面側に塗布することで形成するようになっている。
また本実施例では、地形に応じて磁性体層５の厚さを異ならせ、上記山２ａの斜面等を示す傾斜部分の磁性体層５の厚さを、平地を示す平坦部分の磁性体層５の厚さよりも厚くしている。これにより、上記傾斜部分でのマーカー４の設置を確実なものとすることができる。
上記磁性体層５としては、上記鉄粉に代えて直径０．３〜０．５ｍｍ程度の鉄球を用い、当該鉄球を密着させた状態で整列させ、これを樹脂層２の裏面に接着剤によって接着するようにしてもよく、また磁性体層を構成する磁性体として、鉄の他ニッケルなどの磁性体を用いることも可能である。
【００１２】
上記構成を有する立体地図１は学校教育や災害発生時に使用することに好適であり、立体的に形成された山２ａや谷２ｂなどの地形を容易に認識できることから、より正確な地図３の把握を助けるものとなっている。
例えば災害の発生した位置に上記マーカー４を設置する場合、本実施例の立体地図１であれば上記マーカー４に設けられた磁石４ａによって当該マーカー４を地図３の所要の位置に磁着させることが可能であり、山２ａの斜面であってもマーカー４を設置することが可能となっている。
さらに本実施例の場合、マーカー４を立体地図１に磁着させるため、当該マーカー４を除去してもその痕跡が残らず、同じ場所に対してマーカー４を繰り返し設置することが可能となっている。
これに対し、マーカー４として画びょう等のピンを立体地図１に設置すると刺し跡が残ってしまうため、同じ場所に繰り返しピンを設置すると刺し跡によって地図３の判別が困難になるという問題があった。
また本実施例では、上記磁性体層５の厚さを、山２ａの斜面などの傾斜部分は厚く設定しているため、上記マーカー４を上記傾斜部分に設置しても脱落しないように保持することが可能となっている。
【００１３】
図３は第２実施例にかかる立体地図１の断面図を示しており、本実施例の立体地図１は地形部分としての樹脂層２と地図３との間に上記磁性体層５を設けた構成となっている。
この構成の場合、予め地形を有する上記樹脂層２を成形した後、当該樹脂層２の表面に上記磁性体層５を形成し、当該磁性体層５の表面を滑らかにしてから、当該磁性体層５の表面に地図３を表示させるものとなっている。
上記地図３を表示させる方法としては、上記磁性体層５の表面に地形情報が印刷されたフィルムを張り付ける方法や、上記磁性体層５の表面に地形情報を直接印刷する方法が考えられる。
このような構成とすることで、上記マーカー４の磁石４ａと磁性体層５との間には上記地図３のみが位置することとなるため、上記第１実施例に比べてマーカー４の磁力が弱くてもマーカー４を磁着させることが可能となる。
このため、上記マーカー４に使用する磁石４ａの接地面積を小さくすることができ、または磁性体層５の厚さを第１実施例の磁性体層５よりも薄くすることが可能となる。
これに対し、第１実施例の立体地図１の場合、地形の形成された樹脂層２が表面側に位置することから、縮尺通りの地形を表現しやすく、より精細な立体地図１を提供できるという利点がある。
【００１４】
また本実施例の立体地図１においても、上記地形における山２ａの斜面等を示す傾斜部分の磁性体層５の厚さを、平坦部分の磁性体層５の厚さよりも厚く設定しており、これにより上記傾斜部分に確実にマーカー４を磁着させることができる。
本実施例の場合、磁性体層５が樹脂層２の表面側に形成されることから、形成する磁性体層５の厚さに応じて、上記樹脂層２を成形する際の地形の形状を修正しておくことが望ましい。
さらに上記谷２ｂなどの凹部形状についても、上記マーカー４が設置可能な程度の平坦部を形成するようになっている。この場合、樹脂層２については実際の縮尺に応じて谷２ｂを成形し、その後上記磁性体層５を形成する際に、当該谷２ｂにおける磁性体層５を厚めに形成して上記平坦部を形成するようにしてもよい。また第１実施例と同様、樹脂層４を成形する際に上記谷２ｂの形状を平坦に成形してもよい。
【００１５】
図４は第３実施例にかかる立体地図１の断面図を示しており、本実施例の地形部分１０２は木材や樹脂製のブロックを切削することにより、上記山１０２ａや谷１０２ｂといった地形を成形したものとなっている。
そのうえで、上記地形部分１０２の表面に上記磁性体層５を設けるとともに、当該磁性体層５の表面に上記地図３を表示させることで、磁性体層５を地形部分１０２と地図３との間に形成したものとなっている。
本実施例も上記第２実施例と同様、上記マーカー４の磁石４ａと磁性体層５との間には上記地図３のみが位置することとなるため、磁石４ａの磁力が弱くてもマーカー４を保持することが可能となっている。
【００１６】
図５に示すように、上記地形部分１０２を切削して上記地形を形成する際、先端が半球状に形成されたエンドミル１０６を用い、当該エンドミル１０６を垂直方向に建てた状態で水平方向に一方向に移動させながら、地形に沿ってエンドミル１０６を昇降させ、その後エンドミル１０６が立体地図１の端部に達したら、エンドミル１０６を半ピッチ程度ずらして反対方向に往復動させる作業を繰り返して加工を行う。
その結果、地形部分１０２の表面にはエンドミル１０６の移動軌跡に沿って加工残りからなる凸状の条痕１０２ｃからなる凹凸形状が形成され、当該条痕１０２ｃと条痕１０２ｃとの間に、磁性体を含んだペースト状のものを充填することで、地形部分１０２の表面に磁性体層５を形成することが可能となっている。
この時、図５（ａ）に示す山１０２ａ等の傾斜部分に形成される条痕１０２ｃは、図５（ｂ）に示す平坦部分に形成した条痕１０２ｃよりも高くなるため、条痕１０２ｃと条痕１０２ｃとの間に溜まるペースト状の磁性体の量を、上記傾斜部分に多くすることができる。
その結果、上記山１０２ａ等の傾斜部分における磁性体層５を、平坦部分における磁性体層５よりも厚くすることができ、上記第１、第２実施例と同様、傾斜部分にマーカー４を確実に設置することが可能となる。
【符号の説明】
【００１７】
１  立体地図                        ２  樹脂層（地形部分）
２ａ  山                            ２ｂ  谷
３  地図                            ４  マーカー
４ａ  磁石                          ５  磁性体層
１０２  地形部分                    １０２ｃ  条痕（凹凸形状）
【図１】
2019191218.tif 000003
【図２】
2019191218.tif 000004
【図３】
2019191218.tif 000005
【図４】
2019191218.tif 000006
【図５】
2019191218.tif 000007